(57)【要約】【課題】  搬送方向の下流側に隣接する搬送手段にて搬送物を非接触状態で支持して搬送しながら、複数の搬送手段間で搬送物を乗り移らせて搬送することができる搬送装置を提供する。【解決手段】  搬送物２の下面部に向けて空気を送風して、搬送物２を非接触状態で支持する送風式支持手段と、その送風式支持手段にて支持される搬送物に対して搬送方向での推進力を付与する推進力付与手段と備えた搬送手段１が、搬送方向に複数並べて設けられ、それら複数の搬送手段１の運転を制御する制御手段Ｈが設けられている搬送装置において、制御手段Ｈは、搬送方向の下流側に隣接する搬送手段１が運転状態である搬送手段１については、運転開始を許容し、搬送方向の下流側に隣接する搬送手段１が非運転状態である搬送手段１については、運転開始を禁止するように構成されている。【選択図】        図１１
2005047675.tif 000002
【特許請求の範囲】
【請求項１】
搬送物の下面部に向けて空気を送風して、搬送物を非接触状態で支持する送風式支持手段と、その送風式支持手段にて支持される前記搬送物に対して搬送方向での推進力を付与する推進力付与手段と備えた搬送手段が、搬送方向に複数並べて設けられ、
それら複数の搬送手段の運転を制御する制御手段が設けられている搬送装置であって、
前記制御手段は、搬送方向の下流側に隣接する前記搬送手段が運転状態である搬送手段については、運転開始を許容し、搬送方向の下流側に隣接する前記搬送手段が非運転状態である搬送手段については、運転開始を禁止するように構成されている搬送装置。
【請求項２】
前記複数の搬送手段の夫々について各別に運転開始を指令する人為操作式の運転指令手段が設けられ、
前記制御手段は、搬送方向の下流側に隣接する前記搬送手段が運転状態である搬送手段については、前記運転指令手段にて運転開始が指令されると、運転を開始し、搬送方向の下流側に隣接する前記搬送手段が非運転状態である搬送手段については、前記運転指令手段にて運転開始が指令されても、運転の開始を禁止するように構成されている請求項１に記載の搬送装置。
【請求項３】
前記搬送手段が、その搬送経路上に前記搬送物が存在するか否かを検出する在物検出手段を備えて構成され、
前記制御手段は、搬送方向の下流側に隣接する前記搬送手段が非運転状態である搬送手段において、前記在物検出手段にて前記搬送物の存在を検出していると、運転開始を禁止するように構成されている請求項１または２に記載の搬送装置。
【発明の詳細な説明】
【技術分野】
【０００１】
本発明は、搬送物の下面部に向けて空気を送風して、搬送物を非接触状態で支持する送風式支持手段と、その送風式支持手段にて支持される前記搬送物に対して搬送方向での推進力を付与する推進力付与手段と備えた搬送手段が、搬送方向に複数並べて設けられ、それら複数の搬送手段の運転を制御する制御手段が設けられている搬送装置に関する。
【背景技術】
【０００２】
上記のような搬送装置は、液晶用のガラス基板などの搬送物を搬送方向に複数並べられている複数の搬送手段にて搬送するものであり、搬送手段の夫々において、送風式支持手段にて非接触状態で支持されている搬送物に対して、推進力付与手段にて、例えば、搬送物の両端部や搬送物の下端部などの搬送物の一部を接触支持して推進力を付与することにより、搬送方向の上流側に位置する搬送手段から搬送方向の下流側に位置する搬送手段に搬送物を乗り移らせながら搬送するものである。
【０００３】
そして、従来の搬送装置では、搬送物を搬送する際の姿勢が、例えば、水平姿勢またはほぼ水平姿勢で搬送するものと、縦姿勢またはそれに近い姿勢で搬送するものとがあるので、それぞれについて説明する。
まず、水平姿勢またはほぼ水平姿勢で搬送物を搬送する従来の搬送装置について説明すると、送風式支持手段が、水平姿勢またはほぼ水平姿勢となっている搬送物に対して、その搬送物の下面部のうち、両側端部の間に位置する中間部に向けて空気を送風するように構成され、推進力付与手段が、水平姿勢またはほぼ水平姿勢となっている搬送物の両端部を接触支持して推進力を付与する駆動回転体を備えて構成されている。
そして、このような送風式支持手段と推進力付与手段とを備えた搬送手段が搬送方向に隣接する状態で複数並べられ、制御手段が、運転開始の指令などによって、搬送手段の運転を開始することにより、水平姿勢またはほぼ水平姿勢の搬送物を搬送方向の下流側に隣接する搬送手段に乗り移させるように構成されている（例えば、特許文献１参照。）。
【０００４】
次に、縦姿勢またはそれに近い姿勢で搬送物を搬送する従来の搬送装置について説明すると、送風式支持手段が、縦姿勢またはそれに近い姿勢となっている搬送物に対して、その搬送物の下面部のうち、両側端部の間に位置する中間部に向けて空気を送風するように構成され、推進力付与手段が、縦姿勢またはそれに近い姿勢となっている搬送物の下端部を接触支持して推進力を付与する駆動回転体を備えて構成されている。
そして、このような送風式支持手段と推進力付与手段とを備えた搬送手段が搬送方向に隣接する状態で複数並べられ、制御手段が、運転開始の指令などによって、搬送手段の運転を開始することにより、縦姿勢またはそれに近い姿勢の搬送物を搬送方向の下流側に隣接する搬送手段に乗り移させるように構成されている（例えば、特許文献２参照。）。
【０００５】
【特許文献１】特開２００２−３２１８２０号公報
【特許文献２】特開２００２−３０８４２３号公報
【発明の開示】
【発明が解決しようとする課題】
【０００６】
上記特許文献１および特許文献２における搬送装置では、制御手段が、単純に、運転開始の指令などによって、搬送手段の運転を開始しているだけであるので、搬送方向の下流側に隣接する搬送手段において、乗り移る搬送物を非接触状態で支持して搬送できない場合にも、搬送方向の上流側に位置する搬送手段を運転開始させてしまう虞がある。
したがって、搬送物を非接触状態で支持して搬送できず、搬送物が搬送手段などと接触して、搬送物の損傷を招く虞があった。
【０００７】
説明を加えると、搬送方向の下流側に隣接する搬送手段が非運転状態である場合には、その搬送手段に搬送物を乗り移らせるように、搬送方向の上流側に位置する搬送手段の運転を開始しても、搬送方向の下流側に隣接する搬送手段にて搬送物を非接触状態で搬送できないことになる。
そして、上記特許文献１および特許文献２における搬送装置では、搬送方向の下流側に隣接する搬送手段が非運転状態である場合でも、運転開始の指令などによって、搬送方向の上流側に位置する搬送手段の運転を開始してしまい、搬送手段にて搬送物を非接触状態で搬送できないことになる。
【０００８】
本発明は、かかる点に着目してなされたものであり、その目的は、搬送方向の下流側に隣接する搬送手段にて搬送物を非接触状態で支持して搬送しながら、複数の搬送手段間で搬送物を乗り移らせて搬送することができる搬送装置を提供する点にある。
【課題を解決するための手段】
【０００９】
この目的を達成するために、本発明にかかる搬送装置の第１特徴構成は、搬送物の下面部に向けて空気を送風して、搬送物を非接触状態で支持する送風式支持手段と、その送風式支持手段にて支持される前記搬送物に対して搬送方向での推進力を付与する推進力付与手段と備えた搬送手段が、搬送方向に複数並べて設けられ、それら複数の搬送手段の運転を制御する制御手段が設けられている搬送装置において、
前記制御手段は、搬送方向の下流側に隣接する前記搬送手段が運転状態である搬送手段については、運転開始を許容し、搬送方向の下流側に隣接する前記搬送手段が非運転状態である搬送手段については、運転開始を禁止するように構成されている点にある。
【００１０】
すなわち、制御手段は、搬送方向の下流側に隣接する搬送手段が運転状態である搬送手段については、運転開始を許容するので、搬送方向の下流側に隣接する搬送手段が運転状態である場合には、その搬送手段に搬送物を乗り移させるように、搬送方向の上流側に位置する搬送手段の運転を開始させることができることになる。
したがって、搬送物を非接触状態で支持して搬送できる搬送手段に対して、搬送物を乗り移らせるように搬送手段を運転開始させることができるので、搬送方向の下流側に隣接する搬送手段にて搬送物を非接触状態で支持して搬送しながら、複数の搬送手段間で搬送物を乗り移らせて搬送することができることになる。
【００１１】
また、制御手段は、搬送方向の下流側に隣接する搬送手段が非運転状態である搬送手段については、運転開始を禁止するので、搬送方向の下流側に隣接する搬送手段が非運転状態である場合には、その搬送手段に搬送物を乗り移させるように、搬送方向の上流側に位置する搬送手段の運転を開始することを禁止することができることになる。
したがって、搬送物を非接触状態で支持して搬送できない搬送手段に対して、搬送物を乗り移らせることを防止することができるので、搬送方向の下流側に隣接する搬送手段にて搬送物を非接触状態で支持できない事態に陥ることを防止できることになる。
【００１２】
以上のことから、搬送方向の下流側に隣接する搬送手段が運転状態であるか非運転状態であるかによって、搬送方向の下流側に隣接する搬送手段にて搬送物を非接触状態で支持できる場合のみ、搬送方向の上流側に位置する搬送手段の運転開始させることができることとなって、搬送方向の下流側に隣接する搬送手段にて搬送物を非接触状態で支持して搬送しながら、複数の搬送手段間で搬送物を乗り移らせて搬送することができる搬送装置を提供できるに至った。
【００１３】
本発明にかかる搬送装置の第２特徴構成は、前記複数の搬送手段の夫々について各別に運転開始を指令する人為操作式の運転指令手段が設けられ、前記制御手段は、搬送方向の下流側に隣接する前記搬送手段が運転状態である搬送手段については、前記運転指令手段にて運転開始が指令されると、運転を開始し、搬送方向の下流側に隣接する前記搬送手段が非運転状態である搬送手段については、前記運転指令手段にて運転開始が指令されても、運転の開始を禁止するように構成されている点にある。
【００１４】
すなわち、複数の搬送手段の夫々について各別に運転開始を指令する人為操作式の運転指令手段が設けられているので、その運転指令手段にて搬送手段の一部のものに対してのみ運転開始を指令することができ、搬送手段の一部のもののみ運転開始させることができることになる。
そして、故障などによって搬送物が複数の搬送手段の途中で止まってしまった場合には、搬送手段の一部を運転開始させて、途中で止まっている搬送物を、搬送終端部など搬送物を取り出し可能な箇所まで搬送させることができることになる。
したがって、搬送物が複数の搬送手段の途中で止まっても、その搬送物を除去するように搬送手段の一部のもののみ運転させることができ、しかも、搬送手段の一部や一つずつを運転させて、メンテナンス作業を行うこともできることとなって、使い勝手の向上を図ることができることになる。
【００１５】
そして、人為操作式の運転指令手段にて複数の搬送手段の夫々について各別に運転開始を指令することができるので、操作者のミスなどによって、搬送方向の下流側に隣接する搬送手段が非運転状態である搬送手段に対して、誤って運転開始を指令してしまう場合がある。
このような場合でも、上記第１特徴構成で述べた如く、制御手段が、搬送方向の下流側に隣接する搬送手段が非運転状態である搬送手段については、運転開始を禁止するので、運転指令手段にて誤って運転開始を指令しても、搬送方向の下流側に隣接する搬送手段にて搬送物を非接触状態で支持できない事態に陥ることを防止できることになる。
したがって、使い勝手の向上を図りながらも、搬送方向の下流側に隣接する搬送手段にて搬送物を非接触状態で支持して搬送しながら、複数の搬送手段間で搬送物を乗り移らせて搬送することができることになる。
【００１６】
本発明にかかる搬送装置の第３特徴構成は、前記搬送手段が、その搬送経路上に前記搬送物が存在するか否かを検出する在物検出手段を備えて構成され、前記制御手段は、搬送方向の下流側に隣接する前記搬送手段が非運転状態である搬送手段において、前記在物検出手段にて前記搬送物の存在を検出していると、運転開始を禁止するように構成されている。
【００１７】
すなわち、制御手段は、搬送方向の下流側に隣接する搬送手段が非運転状態である搬送手段において、その搬送経路上に搬送物が存在する搬送手段についてのみ、運転開始を禁止することになるので、実際に搬送経路上に搬送物が存在して、搬送方向の下流側に隣接する搬送手段に物品を乗り移させると、その搬送方向の下流側に隣接する搬送手段にて搬送物を非接触状態で支持して搬送できない事態に陥る搬送手段についてのみ、その運転開始を禁止させることができることになる。
したがって、搬送経路上に搬送物が存在するか否かをも鑑みて、搬送方向の下流側に隣接する搬送手段にて搬送物を非接触状態で支持できない事態に陥る虞のない搬送手段についても、運転開始を禁止させてしまうことを防止して、搬送方向の下流側に隣接する搬送手段にて搬送物を非接触状態で支持できない事態に陥ることを的確に防止することができることになる。
【発明を実施するための最良の形態】
【００１８】
本発明にかかる搬送装置を図面に基づいて説明する。
〔第１実施形態〕
この搬送装置は、図１〜図３および図１０に示すように、液晶用のガラス基板などの板状体を搬送物として搬送するものであり、搬送手段としての搬送ユニット１の複数と、それら複数の搬送ユニット１の運転を制御する制御手段としての制御部Ｈと、その制御部Ｈに対して制御情報を指令する人為操作式の指令部Ｓなどを備えて構成されている。
そして、搬送ユニット１の夫々は、ガラス基板２を水平姿勢またはほぼ水平姿勢にて搬送するように構成されている。
【００１９】
ちなみに、図１は、搬送装置の斜視図であり、図２は、搬送装置の縦断正面図であり、図３は、搬送装置の要部の縦断拡大正面図である。
【００２０】
前記搬送ユニット１は、図１〜図３に示すように、ガラス基板２の搬送方向に沿って隣接する状態で並べて設けられ、搬送方向の上流側に位置する搬送ユニット１から搬送方向の下流側に位置する搬送ユニット１にガラス基板２を乗り移らせて、複数の搬送ユニット１にて搬送装置の上流端部から下流端部までガラス基板２を搬送するように構成されている。
【００２１】
また、搬送ユニット１は、上下２段になるように並設され、上側の搬送ユニット１と下側の搬送ユニット１とにおける搬送方向については、逆方向でも、同じ方向でもよく、適宜変更が可能である。
例えば、上側の搬送ユニット１と下側の搬送ユニット１との搬送方向を逆方向とした場合には、上側の搬送ユニット１にて搬送されたガラス基板２を下側の搬送ユニット１にて戻すようにして、ガラス基板２に対して同じ工程を行ったり、不良なガラス基板２を元に戻すように構成されている。
【００２２】
前記搬送ユニット１は、図２〜図４に示すように、搬送物２の下面部に向けて空気を送風して、搬送物２を非接触状態で支持する送風式支持手段３と、その送風式支持手段３にて支持される搬送物２に対して搬送方向での推進力を付与する推進力付与手段４とを備えて構成されている。
また、搬送ユニット１は、図１１に示すように、その搬送経路上にガラス基板２が存在するか否かを検出する在物検出手段としての在物センサＴを備えて構成されている。
【００２３】
そして、在物センサＴは、投光部からの光が受光部にて受光されなければ、搬送経路上にガラス基板２が存在することを検出し、投光部からの光が受光部にて受光されると、搬送経路上にガラス基板２が存在しないことを検出するように構成されている。
また、在物センサＴは、その数や設置箇所などについては適宜変更が可能であり、搬送経路上にガラス基板２が存在するか否かを検出できるものであればよい。
ちなみに、図４は、搬送ユニット１の縦断側面図であり、図１１は、複数の搬送ユニット１を平面図で示した搬送装置の概略構成図である。
【００２４】
前記送風式支持手段３は、図２〜図４に示すように、塵埃を除去する除塵フィルタ５と、その除塵フィルタ５を通してガラス基板２の下面部に向けて清浄空気を送風する送風ファン６とを備えて構成されている。
そして、送風式支持手段３は、一つの除塵フィルタ５と一つの送風ファン６とを一体的に組付けたファンフィルタユニット７の複数から構成され、それら複数のファンフィルタユニット７の上部には、ガラス基板２の下面部に向けて送風される清浄空気の整風を行う多孔板状の整風板８が設けられている。
説明を加えると、ファンフィルタユニット７は、図５および図６に示すように、ガラス基板２の搬送方向に直交する横幅方向の中間箇所で間隔を隔てる状態で左右に一つずつ設けられ、さらに、ガラス基板２の搬送方向にも間隔を隔てる状態で、例えば、３つを並べて設けられており、合計６つ設けられている。
ちなみに、図５は、搬送ユニット１の上方を開放した状態での斜視図であり、図６は、搬送ユニット１の平面図である。
【００２５】
そして、一つの搬送ユニット１には、６つのファンフィルタユニット７からなる送風式支持手段３が設けられ、６つのファンフィルタユニット７の上方を覆うように１枚の整風板８が配設されている。
また、送風ファン６は、図２および図３に示すように、その設置箇所よりも下方側の空気を吸引してその空気を上方に位置する除塵フィルタ５に向けて送風するように構成されている。
【００２６】
このようにして、送風式支持手段３は、除塵フィルタ５を通過した清浄空気を、整風板８にて整風された状態で、ガラス基板２の搬送方向に直交する横幅方向の両端部の間の中間部に向けて送風して、ガラス基板２の横幅方向の中間部を非接触状態にて支持するように構成されている。
【００２７】
前記搬送ユニット１において、図２および図４〜図６に示すように、ガラス基板２の搬送方向と直交する横幅方向の中間箇所、および、ガラス基板２の搬送方向の中央側の間隔を隔てた箇所には、清浄空気を下方に排気する通気路９が形成されている。
【００２８】
説明を加えると、６つのファンフィルタユニット７同士の間には、隙間が空けられているので、その隙間を利用して、ファンフィルタユニット７の厚み方向に同幅で連通する通気路９が形成されている。
ちなみに、整風板８のうち、通気路９の上方に位置する箇所には、孔部が形成され、通気路９が、その孔部を通して供給される清浄空気を下方側に案内して下方に排気するように構成されている。
【００２９】
このように、通気路９を、ガラス基板２の搬送方向と直交する横幅方向の中間箇所、および、ガラス基板２の搬送方向の中央側の間隔を隔てた箇所に設けることにより、ガラス基板２の横幅方向の中間箇所や搬送方向の中央側に清浄空気が溜まることなく、通気路９を通して下方に排気されるように構成されている。
そして、清浄空気の溜まりがないことにより、ガラス基板２が上方側に湾曲することなく、ガラス基板２を水平姿勢またはほぼ水平姿勢で搬送することができることになる。
【００３０】
前記推進力付与手段３は、図２および図７に示すように、ガラス基板２の横幅方向の両端部を接触支持する駆動ローラ１４と、その駆動ローラ１４を伝導軸１５を介して駆動させるための電動モータ１６とから構成されている。
ちなみに、図７は、搬送ユニット１の縦断側面図であり、左右一対設けられている推進力付与手段３のうちの一方側を示している。
【００３１】
説明を加えると、駆動ローラ１４は、ガラス基板２の搬送方向に間隔を隔てて複数設けられ、伝導軸１５は、搬送方向に複数本並べる状態でカップリング１７によって連動連結されている。
そして、電動モータ１６は、その出力ギア１６ａが伝導軸１５に備えられた平歯車１８ａと噛み合うように設けられ、電動モータ１６の作動により伝導軸１５が回転駆動するように構成されている。
また、ガラス基板２の搬送方向において、複数の駆動ローラ１４の配設箇所に対応する位置に出力軸１９が設けられ、図８および図９に示すように、この出力軸１９の一端部に駆動ローラ１４が設けられている。
そして、駆動ローラ１４は、出力軸１９と一体回転するように設けられ、出力軸１９の他端部には、伝導軸１５に備えられた平歯車１８と噛み合う入力ギア２０が設けられている。
ちなみに、図８は、搬送ユニット１の横幅方向の端部における縦断正面図であり、図９は、搬送ユニット１の横幅方向の端部における縦断側面図である。
【００３２】
このようにして、電動モータ１６の作動により伝導軸１５を回転駆動させ、その伝導軸１５の回転駆動により、伝導軸１５の平歯車１８と入力ギア２０とを咬合させて出力軸１９を回転させて、駆動ローラ１４を回転させるように構成されている。
そして、電動モータ１６の作動により駆動ローラ１４を回転させて、その駆動ローラ１４にて、ガラス基板２の横幅方向の両端部を接触状態で支持しながら、ガラス基板２に対して搬送方向での推進力を付与するように構成されている。
また、ガラス基板２は、駆動ローラ１４における大径部１４ａにて横幅方向での位置ずれを規制しながら搬送方向に沿って搬送されるように構成されている。
【００３３】
前記搬送ユニット１の枠体１０は、図３および図４に示すように、複数のファンフィルタユニット７を載置支持する長方形状のユニット用枠体１１と、そのユニット用枠体１１の両側脇に配設される左右一対の収納用枠体１２とから構成されている。
【００３４】
前記ユニット用枠体１１は、底面側に配置される平板状のユニット用底面体１１ａと、そのユニット用底面体１１ａの両端部から連なり上方に向かう側壁部１１ｂと、その側壁部１１ｂの間の上方を覆うユニット用カバー体１１ｃとから構成され、側壁部１１ｂについては、収納用枠体１２にて兼用するように構成されている。
そして、ユニット用枠体１１の内部空間が、複数のファンフィルタユニット７からなる送風式支持手段３とガラス基板２とが収納される搬送空間Ａとして構成され、ユニット用枠体１１が、搬送空間Ａを密閉状態またはほぼ密閉状態に覆うように構成されている。
また、ユニット用底面体１１ａには、送風ファン６の下方に位置する箇所に外部空気を搬送空間Ａに導入する空気導入口１３が形成されている。
【００３５】
そして、送風ファン６の作動により、搬送空間Ａの空気を吸引して、その吸引した空気を除塵フィルタ５と整風板８を通してガラス基板２の下面部に向けて清浄空気を送風して、搬送空間Ａ内の空気を循環させるように構成されている。
また、送風ファン６の作動により、外部空気が空気導入口１３から搬送空間Ａ内に導入して、搬送空間Ａ内を加圧し、搬送空間Ａ内において循環する空気の一部をユニット用枠体１１と収納フレーム枠体１２との隙間などから外部に排出して、搬送空間Ａ内で循環される空気の一部を外部空気と交換するように構成されている。
【００３６】
前記収納用枠体１２は、側面視がコ字状の収納用フレーム１２ａと、その収納用フレーム１２ａにおける側方の開口部を閉塞する収納用カバー体１２ｂとから構成されている。
そして、収納用枠体１２の内部空間が、電動モータ１６や伝導軸１５などの駆動機構を収納する収納空間Ｂとして構成され、収納用枠体１２が、収納空間Ｂを密閉状態またはほぼ密閉状態に覆うように構成されている。
【００３７】
また、収納空間Ｂには、ファンフィルタユニット７と同様に送風機能および除塵機構を備えたサブファンフィルタユニット２１が設けられている。
そして、ガラス基板２の搬送方向におけるサブファンフィルタユニット２１の配設箇所において、収納用フレーム１２ａの下面部には、収納空間Ｂ内の空気を外部に排気する外部排出口２２が形成され、収納用フレーム１２ａの側面部には、搬送空間Ａと収納空間Ｂとを連通する空気排出口２３が形成されている。
【００３８】
このようにして、サブファンフィルタユニット２１の作動により、搬送空間Ａの空気の一部が収納空間Ｂに排出され、収納空間Ｂ内の空気が、サブファンフィルタ２１の作動により吸引されて、サブファンフィルタ２１により除塵された空気が、外部排出口２２を通して外部に排気されるように構成されている。
【００３９】
前記搬送ユニット１は、上下２段になるように配置されており、図２に示すように、上側の搬送ユニット１が、下側の搬送ユニット１の上方を開放するように、横側部の一端側を支点にして上方側に揺動操作自在に構成されている。
説明を加えると、上側の搬送ユニット１における枠体１０は、揺動軸芯Ｐ周りに揺動自在に枢支され、上側の搬送ユニット１における枠体１０を揺動軸芯Ｐ周りに上方側に揺動することにより、下側の搬送ユニット１における枠体１０の上方を開放するように構成されている。
【００４０】
そして、下側の搬送ユニット１についてメンテナンス作業を行う際には、上側の搬送ユニット１を揺動操作したのち、下側の搬送ユニット１における枠体１０において、ユニット用枠体１１のユニット用カバー体１１ｃを外すことにより、下側の搬送ユニット１における搬送空間Ａを開放して、搬送空間Ａのメンテナンス作業を可能とするように構成されている。
また、上側の搬送ユニット１についてメンテナンス作業を行う際には、ユニット用枠体１１のユニット用カバー体１１ｃを外すことにより、上側の搬送ユニット１における搬送空間Ａを開放して、搬送空間Ａのメンテナンス作業を行うように構成されている。
【００４１】
ちなみに、搬送ユニット１における収納空間Ｂについてメンテナンス作業を行う際には、上側の搬送ユニット１と下側の搬送ユニット１のどちらについても、収納用枠体１２の収納用カバー体１２ｂを取り外すことにより、収納空間Ｂを開放して、収納空間Ｂのメンテナンス作業を行うように構成されている。
【００４２】
前記制御部Ｈは、図１０に示すように、指令部Ｓからの指令に基づいて、複数の搬送ユニット１の夫々について、運転開始および運転停止を制御するように構成されている。
説明を加えると、制御部Ｈは、電動モータ２６、ファンフィルタユニット７、および、サブファンフィルタユニット２１を作動開始させて、搬送ユニット１の運転を開始し、電動モータ２６、ファンフィルタユニット７、および、サブファンフィルタユニット２１を作動停止させて、搬送ユニット１の運転を停止させるように構成されている。
そして、制御部Ｈは、搬送ユニット１の運転状態においては、電動モータ２６、ファンフィルタユニット７、および、サブファンフィルタユニット２１の作動によって、ガラス基板２を非接触状態で支持して搬送するように構成されている。
【００４３】
前記指令部Ｓは、自動運転と手動運転とを切り換える人為操作式の運転切換スイッチＳ１、手動運転において複数の搬送ユニット１に対して各別に運転開始および運転停止を指令する人為操作式の運転指令スイッチ類Ｓ２などを備えて構成されている。
ちなみに、運転指令スイッチ類Ｓ２は、図１１に示すように、搬送方向に並べられる搬送ユニット１の数と同数の運転指令スイッチが設けられて、ひとつの運転指令スイッチがどの搬送ユニット１に対して運転開始を指令するものかが対応付けられている。
【００４４】
そして、制御部Ｈは、運転切換スイッチＳ１にて自動運転が指令されると、すべての搬送ユニット１を運転対象として、運転対象の搬送ユニット１において、電動モータ２６およびサブファンフィルタユニット２１を作動させるとともに、ガラス基板２の下面部に向けて送風する空気の送風量が支持用送風量となるように送風ファン６を作動させるように構成されている。
このようにして、自動運転においては、すべての搬送ユニット１について運転させて、搬送方向の上流側に位置する搬送ユニット１から搬送方向の下流側に位置する搬送ユニット１にガラス基板２を乗り移らせながら、複数の搬送ユニット１にて搬送装置の上流端部から下流端部までガラス基板２を搬送するように構成されている。
【００４５】
ちなみに、自動運転における制御部Ｈの動作については、複数の搬送ユニット１のすべてが同時に運転状態となるように、複数の搬送ユニット１を制御したり、あるいは、複数の搬送ユニット１の一部のみが同時に運転状態となるように、複数の搬送ユニット１を制御することが可能である。
そして、複数の搬送ユニット１のすべてが同時に運転状態となるように複数の搬送ユニット１を制御する場合には、例えば、運転開始の指令などにより、すべての搬送ユニット１を同時に運転開始させ、運転停止の指令などにより、すべての搬送ユニット１を同時に運転停止させる。
また、複数の搬送ユニット１の一部のみが同時に運転状態となるように複数の搬送ユニット１を制御する場合には、例えば、在物センサＴの検出情報に基づいて、ガラス基板２がどの搬送ユニット１の搬送経路上に存在するかによって、運転開始させる搬送ユニット１および運転停止させる搬送ユニット１を選択して、その選択された搬送ユニット１を運転開始および運転停止させる。
【００４６】
また、制御部Ｈは、運転切換スイッチＳ１にて手動運転が指令されると、運転指令スイッチ類Ｓ２にて運転開始が指令された搬送ユニット１のみを運転対象として、運転対象の搬送ユニット１において、電動モータ２６、サブファンフィルタユニット２１、および、送風ファン６を作動させるように構成されている。
このようにして、手動運転においては、運転指令スイッチ類Ｓ２にて運転開始が指令された搬送ユニット１のみ運転させて、その運転される搬送ユニット１にてガラス基板２を非接触状態で支持して搬送するように構成されている。
【００４７】
そして、制御部Ｈは、手動運転においては、運転指令スイッチ類Ｓ２にて運転開始が指令された搬送ユニット１について、単純に運転を開始させるのではなく、搬送方向の下流側に隣接する搬送ユニット１が運転状態であるか否かによって、搬送方向の下流側に隣接する搬送ユニット１が乗り移るガラス基板２を非接触状態で支持して搬送できる場合のみ、運転開始させるように構成されている。
【００４８】
説明を加えると、制御部Ｈは、搬送方向の下流側に隣接する搬送ユニット１が運転状態である搬送ユニット１については、運転開始を許容し、搬送方向の下流側に隣接する搬送ユニット１が非運転状態である搬送ユニット１については、運転開始を禁止するように構成されている。
そして、制御部Ｈは、搬送方向の下流側に隣接する搬送ユニット１が運転状態である搬送ユニット１については、運転指令スイッチ類Ｓ２にて運転開始が指令されると、運転を開始し、搬送方向の下流側に隣接する搬送ユニット１が非運転状態である搬送ユニット１については、運転指令スイッチ類Ｓ２にて運転開始が指令されても、運転の開始を禁止するように構成されている。
また、制御部Ｈは、搬送方向の下流側に隣接する搬送ユニット１が非運転状態である搬送ユニット１については、単純に、運転の開始を禁止するのではなく、搬送方向の下流側に隣接する搬送ユニット１が運転状態である搬送ユニット１において、在物センサＴにてガラス基板２の存在を検出していると、運転開始を禁止するように構成されている。
【００４９】
具体的に説明すると、制御部Ｈは、搬送方向の最も下流側に位置する搬送ユニット１については、搬送方向の下流側に隣接する搬送ユニット１が存在しないので、運転指令スイッチ類Ｓ２にて運転開始が指令されると、無条件で、運転を開始させるように構成されている。
そして、搬送方向の最も下流側に位置する搬送ユニット１以外の搬送ユニット１について説明を加えると、制御部Ｈは、搬送方向の下流側に隣接する搬送ユニット１が運転状態である、あるいは、搬送方向の下流側に隣接する搬送ユニット１が非運転状態であっても、在物センサＴにてガラス基板２の存在を検出していなければ、運転指令スイッチ類Ｓ２にて運転開始が指令されると、運転を開始させるように構成されている。
また、制御手段Ｈは、搬送方向の下流側に隣接する搬送ユニット１が非運転状態であり、かつ、在物センサＴにてガラス基板２の存在を検出していると、運転指令スイッチ類Ｓ２にて運転開始が指令されても、運転の開始を禁止するように構成されている。
【００５０】
搬送方向の最も下流側に位置する搬送ユニット１以外の搬送ユニット１についての運転開始および運転停止については、いずれの搬送ユニット１も同様の動作を行うので、図１１に示すように、搬送方向に並べられている複数の搬送ユニット１のうち、ある２つを取り挙げて、図１２のフローチャートに基づいて説明を加える。
ちなみに、図１１において、搬送方向の上流側に位置する搬送ユニット１を上流側の搬送ユニット１ａとして、搬送方向の下流側に位置する搬送ユニット１を下流側の搬送ユニット１ｂとし、運転スイッチ類Ｓ２のうち、上流側の搬送ユニット１ａに対して運転開始を指令する運転指令スイッチを運転指令スイッチＳＷ１とし、下流側の搬送ユニット１ｂに対して運転開始を指令する運転指令スイッチを運転指令スイッチＳＷ２として説明する。
【００５１】
まず、制御部Ｈは、上流側の搬送ユニット１ａに対して、運転指令スイッチＳＷ１にて運転開始が指令されると、下流側の搬送ユニット１ｂが運転状態であるか否かを判別し、下流側の搬送ユニット１ｂが運転状態であると、上流側の搬送ユニット１ａの運転を開始させる（ステップ１〜３）。
そして、制御部Ｈは、下流側の搬送ユニット１ｂが非運転状態であり、上流側の搬送ユニット１ａにおいて在物センサＴにてガラス基板２の存在を検出していると、上流側の搬送ユニット１ａの運転開始を禁止させる（ステップ２、４、５）。
また、制御部Ｈは、下流側の搬送ユニット１ｂが非運転状態であっても、上流側の搬送ユニット１ａにおいて在物センサＴにてガラス基板２の存在を検出していなければ、上流側の搬送ユニット１ａの運転を開始させる（ステップ２、４、３）。
【００５２】
前記制御部Ｈは、上流側の搬送ユニット１ａの運転を開始させた状態で、下流側の搬送ユニット１ｂにおいて在物センサＴにてガラス基板２の存在を検出すると、上流側の搬送ユニット１ａおよび下流側の搬送ユニット１ｂの運転を停止する（ステップ６、７）。
【００５３】
〔第２実施形態〕
この第２実施形態は、上記第１実施形態において搬送する搬送物の姿勢の別実施形態を示すものであり、以下、その点を中心に図面に基づいて説明を加える。
ちなみに、その他の構成については、上記第１実施形態と同様であるので、同符号を記すなどにより、その詳細な説明は省略する。
【００５４】
縦姿勢用搬送ユニット２４は、図１３および図１４に示すように、ガラス基板２の搬送方向に複数並べて設けられ、搬送物としてのガラス基板２を縦姿勢に近い姿勢で搬送するように構成され、搬送手段として作用するように構成されている。
そして、縦姿勢用搬送ユニット２４は、縦姿勢に近い姿勢で設けられている縦姿勢用送風式支持手段２５と、縦姿勢に近い姿勢で設けられている縦姿勢用推進力付与手段２６とを備えて構成されている。
ちなみに、この第２実施形態では、ガラス基板２が、縦姿勢に近い姿勢で搬送されるので、縦姿勢用搬送ユニット２４が存在する側がガラス基板２の下面部となる。
【００５５】
前記縦姿勢用送風式支持手段２６は、縦姿勢に近い姿勢で搬送されるガラス基板２の下面部に向けて清浄空気を供給して、ガラス基板２を非接触状態で支持するように構成されている。
ちなみに、この縦姿勢用送風式支持手段２６は、上記第１実施形態における送風式支持手段３と同様に、除塵フィルタ５と送風ファン６とを一体的に組み付けたファンフィルタユニット７ａにて構成され、このファンフィルタユニット７ａは、上下に並ぶ２つの送風ファン６と一つの除塵フィルタ５とを一体的に組み付けている。
また、ファンフィルタユニット７ａからの清浄空気を整風する整風板８も設けられている。
【００５６】
そして、縦姿勢用推進力付与手段２６は、ガラス基板２の一端部を接触支持しながら推進力を付与するタイミングベルト２７を備えて、ガラス基板２に対して搬送方向での推進力を付与するように構成されている。
説明を加えると、縦姿勢用推進力付与手段２６は、搬送下手側に位置して電動式モータ２８によって回転する駆動輪２９と、搬送上手側に位置する回転自在な従動輪３０と、これら駆動輪２９と従動輪３０とに亘って巻回するタイミングベルト２７とを備えて構成されている。
そして、タイミングベルト２７は、その送り経路部分を内周面側から内支持輪３１にて支持され、その戻り経路部分を外周面側から外支持輪３２にて支持されている。
【００５７】
また、縦姿勢用送風式支持手段２５とガラス基板２の搬送経路とが収納される搬送空間Ｃを密閉状態またはほぼ密閉状態に覆う搬送ケース３４が設けられている。
【００５８】
前記制御部Ｈは、上記第１実施形態と同様に、指令部Ｓからの指令に基づいて、複数の縦姿勢用搬送ユニット２４の夫々について、運転開始および運転停止を制御して、自動運転および手動運転を行うように構成されている。
また、制御部Ｈは、上記第１実施形態と同様に、手動運転においては、運転指令スイッチ類Ｓ２にて運転開始が指令された縦姿勢用搬送ユニット２４について、単純に運転を開始させるのではなく、搬送方向の下流側に隣接する縦姿勢用搬送ユニット２４が運転状態であるか否かによって、搬送方向の下流側に隣接する縦姿勢用搬送ユニット２４が乗り移るガラス基板２を非接触状態で支持して搬送できる場合のみ、運転開始させるように構成されている。
【００５９】
説明を加えると、制御部Ｈは、搬送方向の下流側に隣接する縦姿勢用搬送ユニット２４が運転状態である縦姿勢用搬送ユニット２４については、運転開始を許容し、搬送方向の下流側に隣接する縦姿勢用搬送ユニット２４が非運転状態である縦姿勢用搬送ユニット２４については、運転開始を禁止するように構成されている。
そして、制御部Ｈは、搬送方向の下流側に隣接する縦姿勢用搬送ユニット２４が運転状態である縦姿勢用搬送ユニット２４については、運転指令スイッチ類Ｓ２にて運転開始が指令されると、運転を開始し、搬送方向の下流側に隣接する縦姿勢用搬送ユニット２４が非運転状態である縦姿勢用搬送ユニット２４については、運転指令スイッチ類Ｓ２にて運転開始が指令されても、運転の開始を禁止するように構成されている。
また、制御部Ｈは、搬送方向の下流側に隣接する縦姿勢用搬送ユニット２４が非運転状態である縦姿勢用搬送ユニット２４については、単純に、運転の開始を禁止するのではなく、搬送方向の下流側に隣接する縦姿勢用搬送ユニット２４が運転状態である縦姿勢用搬送ユニット２４において、在物センサＴにてガラス基板２の存在を検出していると、運転開始を禁止するように構成されている。
【００６０】
ちなみに、この第２実施形態では、サブファンフィルタ２１が設けられていないので、制御ブロック図としては、図１０において、サブファンフィル２１を省略し、電動モータ１６を電動式モータ２８に変更する。
【００６１】
〔別実施形態〕
（１）上記第１実施形態では、制御部Ｈが、手動運転においてのみ、搬送方向の下流側に隣接する搬送ユニット１が運転状態である搬送ユニット１については、運転開始を許容し、搬送方向の下流側に隣接する搬送ユニット１が非運転状態である搬送ユニット１については、運転開始を禁止するようにしているが、手動運転と自動運転の両方で、あるいは、自動運転においてのみ、搬送方向の下流側に隣接する搬送ユニット１が運転状態である搬送ユニット１については、運転開始を許容し、搬送方向の下流側に隣接する搬送ユニット１が非運転状態である搬送ユニット１については、運転開始を禁止するようにして実施することも可能である。
【００６２】
（２）上記第２実施形態では、制御部Ｈが、手動運転においてのみ、搬送方向の下流側に隣接する縦姿勢用搬送ユニット２４が運転状態である縦姿勢用搬送ユニット２４については、運転開始を許容し、搬送方向の下流側に隣接する縦姿勢用搬送ユニット２４が非運転状態である縦姿勢用搬送ユニット２４については、運転開始を禁止するようにしているが、手動運転と自動運転の両方で、あるいは、自動運転においてのみ、搬送方向の下流側に隣接する縦姿勢用搬送ユニット２４が運転状態である縦姿勢用搬送ユニット２４については、運転開始を許容し、搬送方向の下流側に隣接する縦姿勢用搬送ユニット２４が非運転状態である縦姿勢用搬送ユニット２４については、運転開始を禁止するようにして実施することも可能である。
【００６３】
（３）上記第１実施形態では、制御部Ｈが、搬送方向の下流側に隣接する搬送ユニット１が非運転状態である搬送ユニット１において、在物センサＴにてガラス基板２の存在を検出していると、運転開始を禁止するようにしているが、在物センサＴにてガラス基板２の存在を検出しているか否かにかかわらず、搬送方向の下流側に隣接する搬送ユニット１が非運転状態である搬送ユニット１のすべてについて、運転開始を禁止するようにして実施することも可能である。
ちなみに、この場合には、在物センサＴを設けなくてもよい。
【００６４】
（４）上記第２実施形態では、制御部Ｈが、搬送方向の下流側に隣接する縦姿勢用搬送ユニット２４が非運転状態である縦姿勢用搬送ユニット２４において、在物センサＴにてガラス基板２の存在を検出していると、運転開始を禁止するようにしているが、在物センサＴにてガラス基板２の存在を検出しているか否かにかかわらず、搬送方向の下流側に隣接する縦姿勢用搬送ユニット２４が非運転状態である縦姿勢用搬送ユニット２４のすべてについて、運転開始を禁止するようにして実施することも可能である。
ちなみに、この場合には、在物センサＴを設けなくてもよい。
【００６５】
（５）上記第１実施形態では、収納用フレーム１２ａの側面部に、搬送空間Ａと収納空間Ｂとを連通する空気排出口２３が形成されているが、この空気排出口２３を形成せずに、搬送空間Ａと収納空間Ｂとを連通しないように構成して実施することも可能である。
【００６６】
（６）上記第１および第２実施形態では、除塵フィルタ５と送風ファン６とを一体的に組付けたファンフィルタユニット７，７ａを例示したが、必ずしも除塵フィルタ５と送風ファン６とを一体的に取り付ける必要はなく、例えば、送風ファン６にて送風される空気を除塵フィルタ６に案内する案内路などを設けて、除塵フィルタ５と送風ファン６とを別体にて構成して実施することも可能である。
【００６７】
（７）上記第１および第２実施形態では、搬送物としてガラス基板２を例示したが、その他の板状体や円盤状体など各種の物品を適応することが可能である。
【図面の簡単な説明】
【００６８】
【図１】第１実施形態における搬送装置の一部を省略した斜視図
【図２】第１実施形態における搬送装置の縦断正面図
【図３】第１実施形態における搬送装置の縦断拡大正面図
【図４】第１実施形態における搬送装置の縦断側面図
【図５】第１実施形態における搬送ユニットの斜視図
【図６】第１実施形態における搬送ユニットの平面図
【図７】第１実施形態における推進力付与手段を示す搬送装置の縦断側面図
【図８】第１実施形態における推進力付与手段の要部を示す縦断正面図
【図９】第１実施形態における推進力付与手段の要部を示す縦断側面図
【図１０】第１実施形態における搬送装置の制御ブロック図
【図１１】第１実施形態における搬送装置の概略を示す図
【図１２】第１実施形態における手動運転のフローチャート
【図１３】第２実施形態における搬送装置の一部を省略した斜視図
【図１４】第２実施形態における搬送装置の一部切欠側面図
【符号の説明】
【００６９】
１          搬送手段
２          搬送物
３          送風式支持手段
４          推進力付与手段
Ｈ          制御手段
Ｓ２        運転指令手段
Ｔ          在物検出手段
【図１】
2005047675.tif 000003
【図２】
2005047675.tif 000004
【図３】
2005047675.tif 000005
【図４】
2005047675.tif 000006
【図５】
2005047675.tif 000007
【図６】
2005047675.tif 000008
【図７】
2005047675.tif 000009
【図８】
2005047675.tif 000010
【図９】
2005047675.tif 000011
【図１０】
2005047675.tif 000012
【図１１】
2005047675.tif 000013
【図１２】
2005047675.tif 000014
【図１３】
2005047675.tif 000015
【図１４】
2005047675.tif 000016